(57)【要約】【課題】  暗闇時でも操作性が損なわれない印刷装置を提供する。【解決手段】  明るさを検出するフォトセンサと、印刷動作を検出し前記印刷動作の終了を検知する印刷終了検知手段と、印刷終了後、印字されたメディアを積載するための排紙トレイと、前記排紙トレイを照明する手段としての排紙トレイ照明手段と、前記排紙トレイ上の前記印字されたメディアの積載有無を検出するための排紙トレイ積載検知手段と、前記フォトセンサの出力値と、前記排紙トレイ積載検知手段と、前記印刷終了検知手段の検知により、前記排紙トレイ照明手段を制御する排紙トレイ照明手段制御部を備える。【選択図】  図１
2006116900.tif 000002
【特許請求の範囲】
【請求項１】
明るさを検出するフォトセンサと、印刷動作を検出し前記印刷動作の終了を検知する印刷終了検知手段と、印刷終了後、印字されたメディアを積載するための排紙トレイと、前記排紙トレイを照明する手段としての排紙トレイ照明手段と、前記排紙トレイ上の前記印字されたメディアの積載有無を検知するための排紙トレイ積載検知手段と、前記フォトセンサの出力値と、前記排紙トレイ積載検知手段と、前記印刷終了検知手段の検知により、前記排紙トレイ照明手段を制御する排紙トレイ照明手段制御部を備え、前記フォトセンサの出力値に応じて、印刷終了を検知すると、前記排紙トレイ照明手段を照明するように制御することを特徴とする印刷装置。
【請求項２】
明るさを検出するフォトセンサと、印字部をカバーし開閉可能な印字部カバーと、前記印字部を照明する手段としての印字部照明手段と、前記印字部カバーの開閉動作を検知する手段としての印字部カバー開閉検知手段と、前記フォトセンサの出力値と、前記印字部カバー開閉検知手段の検知により、前記印字部照明手段を制御する印字部照明手段制御部を備え、前記フォトセンサの出力値に応じて、前記印字部カバーを開くと、前記印字部照明手段を照明するように制御することを特徴とする印刷装置。
【請求項３】
消耗品を着脱可能な印刷装置において、明るさを検出するフォトセンサと、消耗品を着脱する手段としての消耗品着脱口と、前記消耗品着脱口を照明する手段としての消耗品着脱口照明手段と、前記消耗品の着脱を検知する手段としての消耗品着脱検知手段と、前記消耗品の残量を検知する手段としての消耗品残量検知手段と、前記フォトセンサの出力値と、前記消耗品着脱検知手段と、前記消耗品残量検知手段の検知により、前記消耗品着脱口照明手段を制御する消耗品着脱口照明手段制御部を備え、前記フォトセンサの出力値に応じて、前記消耗品が装着されていない場合、またはおよび前記消耗品の残量が少ない場合、前記消耗品着脱口照明手段を照明するように制御することを特徴とする印刷装置。
【請求項４】
明るさを検出するフォトセンサを備え、画像データを記録した記録メモリを着脱可能であって、印刷装置と通信可能な外部機器を接続可能な前記印刷装置において、前記記録メモリを着脱する手段としての記録メモリ着脱口と、前記記録メモリ着脱口を照明する手段としての記録メモリ着脱口照明手段と、前記記録メモリの着脱を検知する手段としての記録メモリ着脱検知手段と、前記フォトセンサの出力値と、前記記録メモリ着脱検知手段の検知により前記記録メモリ着脱口照明手段を制御する記録メモリ着脱口照明手段制御部と、前記外部機器を接続する手段としての外部機器接続口と、前記外部機器接続口を照明する手段としての外部機器接続口照明手段と、前記外部機器の接続を検知する手段としての外部機器接続検知手段と、前記フォトセンサの出力値と、前記外部機器接続検知手段の検知により前記外部機器接続口照明手段を制御する外部機器接続口照明手段制御部とを備え、前記フォトセンサの出力値に応じて、前記記録メモリが装着されていない場合、またはおよび前記記録メモリ着脱口照明手段を照明するように制御し、前記フォトセンサの出力値に応じて、前記外部機器が接続されていない場合、前記外部機器接続口照明手段を照明するように制御することを特徴とする印刷装置。
【発明の詳細な説明】
【技術分野】
【０００１】
本発明は、暗闇において印刷を行う場合に好適な印刷装置に関する。
【背景技術】
【０００２】
近年、インクタンクやメディアカートリッジなどの消耗品を着脱可能な携帯型印刷装置がある。携帯型印刷装置には、パソコンを介さずにメモリカードを直接装着したりデジタルカメラを接続し、メモリカードやデジタルカメラから直接印刷データを読み込んで印刷を行うものがある。（例えば、特許文献１参照。）
このような携帯型の印刷装置は、場所、時間によらず、いつでもどこでも簡単にプリントができるということがコンセプトのひとつとなっているが、夜間、暗闇の中での使用時には、操作性が非常に低下するという問題があった。また従来より、表示装置付きの印刷装置において、電源投入により表示装置のバックライトが点灯するものがある。
【０００３】
一方、インクタンクやメディアカートリッジなどの消耗品の着脱や、メモリカードを装着したり、デジタルカメラを接続したりする作業は、夜間、暗闇の中では手探りで装着口および接続口を探して作業を行っていた。
【特許文献１】特開２００３−１３１８３８号公報
【発明の開示】
【発明が解決しようとする課題】
【０００４】
しかしながら、上記従来技術においては次のような問題があった。すなわち、暗い環境での操作性向上のために、駆動回路の出力を上げてバックライトを明るくすることは、駆動回路の消費電力のさらなる上昇となり、発熱への対処など駆動回路は大きく重くなってしまう。また、小型軽量が要求される携帯型の印刷装置においては、バックライトの駆動回路による消費電力の増加は、全体に占める割合としても無視できない。
【０００５】
また、インクタンクやメディアカートリッジなどの消耗品の着脱や、メモリカードを装着したり、デジタルカメラを接続したりするなどといった作業を夜間、暗闇の中で行う場合、手探りで装着口を探しあてることは容易ではなく、例えば印刷作業中にインクがなくなった場合には、インクタンクを交換する際、手にインクが付着し汚れてしまう問題があった。
【０００６】
また、従来の印刷装置では、夜間、暗闇時に印刷の際、印刷結果の仕上がりをすぐに確認することは困難であった。
【０００７】
また、従来の印刷装置では、夜間、暗闇時での印刷中、紙詰まりが発生した場合、手探りで紙詰まりを取り除くことは非常に困難であった。
【０００８】
本発明は、上述した点に鑑みなされたものであり、夜間、暗闇時でも操作性が損なわれない印刷装置を提供することを目的としている。
【課題を解決するための手段】
【０００９】
上記目的を達成するため、本発明は、明るさを検出するフォトセンサと、印刷動作を検出し前記印刷動作の終了を検知する印刷終了検知手段と、印刷終了後、印字されたメディアを積載するための排紙トレイと、前記排紙トレイを照明する手段としての排紙トレイ照明手段と、前記排紙トレイ上の前記印字されたメディアの積載有無を検出するための排紙トレイ積載検知手段と、前記フォトセンサの出力値と、前記排紙トレイ積載検知手段と、前記印刷終了検知手段の検知により、前記排紙トレイ照明手段を制御する排紙トレイ照明手段制御部を備え、前記フォトセンサの出力値に応じて、印刷終了を検知すると、前記排紙トレイ照明手段を照明するように制御することを特徴とする印刷装置である。
【００１０】
また、本発明は、明るさを検出するフォトセンサと、印字部をカバーし開閉可能な印字部カバーと、前記印字部を照明する手段としての印字部照明手段と、前記印字部カバーの開閉動作を検出する手段としての印字部カバー開閉検知手段と、前記フォトセンサの出力値と、前記印字部カバー開閉検知手段の検知により、前記印字部照明手段を制御する印字部照明手段制御部を備え、前記フォトセンサの出力値に応じて、前記印字部カバーを開くと、前記印字部照明手段を照明するように制御することを特徴とする印刷装置である。
【００１１】
また、本発明は、消耗品を着脱可能な印刷装置において、明るさを検出するフォトセンサと、消耗品を着脱する手段としての消耗品着脱口と、前記消耗品着脱口を照明する手段としての消耗品着脱口照明手段と、前記消耗品の着脱を検知する手段としての消耗品着脱検知手段と、前記消耗品の残量を検出する手段としての消耗品残量検知手段と、前記フォトセンサの出力値と、前記消耗品着脱検知手段と、前記消耗品残量検知手段の検知により、前記消耗品着脱口照明手段を制御する消耗品着脱口照明手段制御部を備え、前記フォトセンサの出力値に応じて、前記消耗品が装着されていない場合、前記消耗品の残量が少ない場合、前記消耗品着脱口照明手段を照明するように制御することを特徴とする印刷装置である。
【００１２】
また、本発明は、明るさを検出するフォトセンサを備え、画像データを記録した記録メモリを着脱可能であって、印刷装置と通信可能な外部機器を接続可能な前記印刷装置において、前記記録メモリを着脱する手段としての記録メモリ着脱口と、前記記録メモリ着脱口を照明する手段としての記録メモリ着脱口照明手段と、前記記録メモリの着脱を検知する手段としての記録メモリ着脱検知手段と、前記フォトセンサの出力値と、前記記録メモリ着脱検知手段の検知により前記記録メモリ着脱口照明手段を制御する記録メモリ着脱口照明手段制御部と、前記外部機器を接続する手段としての外部機器接続口と、前記外部機器接続口を照明する手段としての外部機器接続口照明手段と、前記外部機器の接続を検知する手段としての外部機器接続検知手段と、前記フォトセンサの出力値と、前記外部機器接続検知手段の検知により前記外部機器接続口照明手段を制御する外部機器接続口照明手段制御部とを備え、前記フォトセンサの出力値に応じて、前記記録メモリが装着されていない場合、前記記録メモリ着脱口照明手段を照明するように制御し、前記フォトセンサの出力値に応じて、前記外部機器が接続されていない場合、前記外部機器接続口照明手段を照明するように制御することを特徴とする印刷装置である。
【発明の効果】
【００１３】
以上説明したように、本発明によれば、暗闇でメモリカードの装着または交換作業を行う場合、メモリカードの装着口を照明するので、ユーザは暗闇でも容易にメモリカードの装着、交換作業を行うことができる。
【００１４】
また、本発明によれば、暗闇でデジタルカメラを接続する場合、デジタルカメラの接続口を照明するので、ユーザは暗闇でも容易にデジタルカメラの接続作業を行うことができる。
【００１５】
また、本発明によれば、暗闇で印刷中に紙詰まりを発生した場合、印字部を照明し紙詰まり箇所を発見しやすくし、紙詰まりを起こしたメディアを容易に取り除くことができる。
【００１６】
また、本発明によれば、印刷終了後、排紙トレイを照明し、暗闇でも印刷の仕上がりを容易に確認できる。
【００１７】
また、本発明によれば、暗闇でメディアカートリッジの装着または交換作業を行う場合、メディアカートリッジの装着口を照明するので、ユーザは暗闇でも容易にメディアカートリッジの装着、交換作業を行うことができる。
【００１８】
また、本発明によれば、暗闇でインクタンクの装着または交換作業を行う場合、インクタンクの装着口を照明するので、ユーザは暗闇でも容易にインクタンクの装着、交換作業を行うことができる。
【００１９】
また、本発明によれば、各照明部は、ユーザの操作が必要な箇所を、必要な時間だけ照明するように制御されるため、無駄な消費電力を削減することができる。
【発明を実施するための最良の形態】
【００２０】
以下、本発明における印刷装置の実施形態を図面に基づいて詳細に説明する。
【００２１】
図１は本発明の実施の形態に係る印刷装置１００である。
【００２２】
図１に示すように本発明における印刷装置１００は、本体１００に直接メモリカードやデジタルカメラを接続して画像データを印刷するものである。印刷用紙の入っているメディアカートリッジ１０９とインクの入っているインクタンク（不図示）をメディアカートリッジ装着口１１３およびインクタンク装着口１０６にそれぞれ装着すると、メディアの残数と種類およびインクの残量と種類を検出し、印刷時にはメディアおよびインクの種類に応じた画像処理を行い印刷する。なお、本印刷装置１００は、印刷中紙詰まりが発生した場合には、印字部カバー１０３を開くことによって、紙詰まりを簡単に取り除くことができるようになっている。
【００２３】
また、本発明によると、インクタンク装着口１０６、デジタルカメラ接続口１０７、メモリカード装着口１０８、メディアカートリッジ装着口１１３、排紙トレイ１０４、印字部（不図示）の各々を照明するための手段として、インクタンク装着口照明部１０５、デジタルカメラ接続口照明部１１１、メモリカード装着口照明部１１２、メディアカートリッジ装着口照明部１１０、排紙トレイ照明部（不図示）、印字部照明部（不図示）を備えており、暗闇での操作時には必要に応じて各々の照明部が点灯するようになっている。
【００２４】
図２に本実施例における印刷装置１００のブロック図を示す。
【００２５】
図２に示すように、本実施例における印刷装置１００は、ユーザインターフェースとしての操作部１０１および表示部１０２、画像処理部２０１、プログラム格納メモリ２０３、作業用メモリ２０２、各種インターフェース２１３、プリンタユニット２０８、コントローラ２０７、制御部２０４、および本発明によると各種センサ部２０５と照明制御部２０６から構成される。
【００２６】
操作部１０１は、図示しないがプラスボタンやマイナスボタン及び十字キー等の操作によるユーザからの指示を入力しデジタル信号に変換して制御部２０４に与え、メモリカード内の画像データを表示、印刷実行、停止など、本印刷装置１００の制御部２０４に実行信号を出し各機能を実行するためのユーザＩ／Ｆである。
【００２７】
表示部１０２は、液晶表示素子等の画面を有する表示装置として構成され、印刷ステータスやエラー情報などを表示する他、印刷プレビュー時にはメモリカードから読み出され、フレームメモリに記憶されているＹ，Ｕ，ＶデータをＲ，Ｇ，Ｂ（赤、緑、青の三原色成分）データに変換して再生し表示する。
【００２８】
画像処理部２０１は、デジタルカメラＩ／Ｆ部２１５で受信したデータやメモリカードＩ／Ｆ部２１５から読み出したデータを処理し多値（Ｒ，Ｇ，Ｂ）のラスタデータ（画像データ）として作業用メモリ２０２に設けられたフレームメモリ４０１に記憶する。またフレームメモリ４０１上のラスタデータを輝度成分Ｙおよび色差成分Ｕ，Ｖに変換する手段を備え、記録時にはＹＵＶデータをＪＰＥＧ圧縮してメモリカードに記録する。更に、再生時にはメモリカードに記録されているＹ，Ｕ，Ｖデータを読み出して伸張処理を施し、フレームメモリ４０１に記憶する。
【００２９】
プログラム格納メモリ２０３は、図３に示すように、本印刷装置１００を制御するための制御プログラム３０１のほかに、本発明による照明制御用プログラム３０２、印刷用データ作成手段３０３、各種アプリケーションプログラム３０４、ユーティリティ３０５が格納されている。
【００３０】
作業用メモリ２０２は、図４に示すように、フレームメモリ４０１、印刷用データバッファ４０２、プログラム用エリア４０４、予備エリア４０３等が設定されている。
【００３１】
制御部２０４は、ＣＰＵを備え上述の各回路等にバスラインを介して接続され、操作部１０１からの指示信号に対応して、プログラム格納メモリ２０３に格納されている制御プログラム３０１により本印刷装置１００全体の制御を行う。
【００３２】
プリンタユニット部２０８は、印字ヘッド２１２を駆動する印字ヘッド駆動部２１０と、紙送り等をするモーター２１１を駆動するモーター駆動部２０９を備えている。
【００３３】
コントローラ２０７は、プリンタユニット２０８全体の動作を制御し、印刷用データ（および制御データ）を受け取るとコントローラ２０８は制御信号を送って印字ヘッド駆動部２１０およびモーター駆動部２０９を制御し、描画および紙送りを行わせ印刷画像（カラー印刷画像）を得る。
【００３４】
各種センサ部２０５は、本発明によると、本印刷装置１００のメモリカードの装着有無、排紙トレイ１０４の積載有無、印刷装置１００が置かれた環境の明るさを検出するためのフォトセンサ５０２などを備えている。
【００３５】
照明制御部２０６は、各種センサ部２０５で検出された値に応じて、各照明部の点灯および消灯制御を行う。
【００３６】
図３にプログラム格納メモリ２０３のメモリマップを示す。
【００３７】
制御プログラム３０１は、操作部１０１およびデジタルカメラからの指示信号に対応して、本印刷装置１００全体の制御を行う。
【００３８】
照明制御用プログラム３０２は、照明制御部２０６および各種センサ部２０５を制御するための制御プログラムである。
【００３９】
印刷用データ作成手段３０３は、パソコン等での印刷画像データ作成処理用のプログラムと同じ構成の、ラスタライザ，色補正モジュールおよびハーフトーンモジュールからなる３つを描画に必要な２値データを得るための基本的手段として備えており、ＹＵＶデータをＫ（ブラック），Ｃ（シアン），Ｍ（マゼンタ），およびＹ（イエロー）の印刷用のＣＭＹＫ階調ビットイメージデータに変換する。
【００４０】
また、各種アプリケーションプログラム３０４は本印刷装置１００の他の機能を実行するためのプログラムモジュール群からなっており、ユーティリティプログラム３０５は本印刷装置１００に接続したデジタルカメラで用いられる共通的な動作を実行するプログラムモジュール群からなっている。
【００４１】
図４に作業用メモリ２０２のメモリマップを示す。
【００４２】
作業用メモリ２０２には、フレームメモリ４０１、印刷用データバッファ４０２、プログラム用エリア４０４、予備エリア４０３等が設定されている。
【００４３】
フレームメモリ４０１は、表示部１０２の画像表示用メモリとして用いられて画像データがビットマップイメージで展開される。また、フレームメモリは表示部１０２のメニュー表示用メモリとして用いられる。
【００４４】
印刷用データバッファ４０２は、印刷時に印刷データを一時的に記憶するバッファとしての役割をもつ。
【００４５】
プログラム用エリア４０４はプログラム格納メモリ２０３から読み出された制御プログラム３０１およびその時点で起動されているプログラムが記憶され、ＣＰＵの制御により実行されるエリアである。
【００４６】
予備エリア４０３は空き領域であり、実行されているプログラムのサイズにより領域の大きさが変動するエリアである。
【００４７】
次に、本発明において重要な役割をもつ各種センサ部２０５および照明制御部２０６について図５を用いて詳細に説明する。
【００４８】
図５は本発明における各種センサ部２０５と照明制御部２０６のブロック図である。
【００４９】
図５に示すように、本印刷装置１００の各種センサ部２０５には、フォトセンサ５０２、印刷終了検知部５０３、排紙トレイ積載検知部５０４、印字カバー開閉検知部５０５、デジタルカメラ接続検知部５０６、カートリッジ装着検知部５０７、インクタンク装着検知部５０８、メディア残数検知部５０９、インク残量検知部５１０およびメモリカード装着検知部５１１を備えている。
【００５０】
フォトセンサ５０２は、電源ＯＮ時に本印刷装置１００の置かれている環境の明るさを検出するための手段であり、本実施例におけるフォトセンサ５０２は、入力される光の強さに応じて出力電圧が変化し、入力される光が強いほど出力電圧が大きくなるものである。
【００５１】
印刷終了検知部５０３は、印刷終了時の排紙動作終了を検出し、排紙トレイ積載検知部５０４は、排紙トレイ１０４上の印刷済みメディアの積載有無検知手段である。
【００５２】
印字部カバー開閉検知部５０５は、印字部カバー１０３の開閉検知手段である。
【００５３】
デジタルカメラ接続検知部５０６はデジタルカメラ接続有無の検知手段である。
【００５４】
カートリッジ装着検知部５０７は、メディアカートリッジ１０９装着有無の検知手段である。
【００５５】
インクタンク装着検知部５０８は、インクタンク装着有無の検知手段である。
【００５６】
メディア残数検知部５０９は、メディアカートリッジ１０９内のメディア残数検知手段である。
【００５７】
インク残量検知部５１０は、インクタンク内のインク残量検知手段である。
【００５８】
メモリカード装着検知部５１１は、メモリカード装着有無の検知手段である。
【００５９】
一方、本印刷装置１００の照明制御部２０６は、暗闇モード設定部５１２、操作部照明部５１３、表示部照明部５１４、排紙トレイ照明部５１５、印字部照明部５１６、カートリッジ装着口照明部１１０、インクタンク装着口照明部１０５、メモリカード装着口照明部１１２、デジタルカメラ接続口照明部１１１および各照明部を制御するための照明部制御部５０１を備えている。
【００６０】
暗闇モード設定部５１２は、電源ＯＮ時に本印刷装置１００に備えられたフォトセンサ５０２の検出電圧に応じて、各照明部の制御を行うか否かの設定を行う。本実施例では、本印刷装置１００の置かれている環境が明るいか否かを判定する基準となる電圧値をあらかじめ設定しておき、フォトセンサの検出電圧が基準電圧値より大きい時は、照明制御を行わないモード（以後通常モードという）に設定し、フォトセンサの検出電圧が基準電圧より小さい時は、各照明部の制御を行うように設定（以後暗闇モードという）する。
【００６１】
操作部照明部５１３および表示部照明部５１４は、暗闇モード時には、操作性向上のために操作部１０１および表示部１０２を明るく照明するための手段であり、本実施例では図示はしないがバックライトを用いている。
【００６２】
排紙トレイ照明部５１５は、印字部カバー１０３表面部に付加され排紙トレイ１０４を明るく照明できるように配置したＬＥＤであり、暗闇モードの時、排紙動作終了後、排紙トレイ１０４に積載された印刷済みのメディアを照明するための手段である。
【００６３】
印字部照明部５１６は、印字部カバー１０３内の印字部を明るく照明するように配置したＬＥＤであり、暗闇モードの時、紙詰まりが発生した場合、印字部を明るく照明し紙詰まりを取り除きやすくするための照明手段である。
【００６４】
カートリッジ装着口照明部１１０は、メディアカートリッジ装着口１１３を明るく照明するように配置されたＬＥＤであり、暗闇モード時、メディアカートリッジ１０９が未装着の場合に点灯し、本印刷装置１００が置かれた環境が暗闇の中であってもユーザは容易にメディアカートリッジ１０９を装着することができる。
【００６５】
インクタンク装着口照明部１０５は、インクタンク装着口１０６を明るく照明するように配置されたＬＥＤであり、暗闇モード時、インクタンクが未装着の場合に点灯し、本印刷装置１００が置かれた環境が暗闇の中であってもユーザは容易にインクタンクを装着することができる。
【００６６】
メモリカード装着口照明部１１２は、メモリカード装着口１０８を明るく照らすように配置されたＬＥＤであり、暗闇モード時、メモリカードが未装着の場合に点灯し、本印刷装置１００が置かれた環境が暗闇の中であってもユーザは容易にメモリカードを装着することができる。
【００６７】
デジタルカメラ接続口照明部１１１は、デジタルカメラ接続口１０７を明るく照らすように配置されたＬＥＤであり、暗闇モード時、デジタルカメラが未接続の場合に点灯し、本印刷装置１００が置かれた環境が暗闇の中であってもユーザは容易にデジタルカメラを接続することができる。
【００６８】
照明部制御部５０１は、各種センサ部２０５の検出値に応じて各照明部の制御を行うものである。
【００６９】
次に、上記の如く構成された本印刷装置１００および各照明部の動作について図６から図１２を参照しながら詳細に説明する。
【００７０】
図６に、本印刷装置１００の暗闇モード設定フローチャートを示す。
【００７１】
本印刷装置１００は、電源をＯＮすると（Ｓ６００）フォトセンサ５０２により本印刷装置１００が置かれた環境の明るさを検出する（Ｓ６０１）。Ｓ６０１にてフォトセンサ５０２の検出電圧があらかじめ定められた基準電圧値より大きい場合通常モードに設定し（Ｓ６０３）、基準電圧値より低い場合は暗闇モードに設定する（Ｓ６０５）。
【００７２】
次に、各照明部の動作を説明する。
【００７３】
図７にメモリカード装着口照明部１１２の動作を示す。
【００７４】
本印刷装置１００の電源をＯＮした後（Ｓ７００）、図６に示すフローチャートにしたがって暗闇モードに設定されると（Ｓ７０１）、メモリカード装着検知部５１１によりメモリカードの装着有無を判定する（Ｓ７０３）。メモリカードが装着されている場合には、メモリカード装着口照明部１１２は点灯しない。Ｓ７０３でメモリカードが装着されていないと判定されると、メモリカード装着口照明部１１２は点灯し（Ｓ７０４）、暗闇でメモリカードを装着する場合の操作性を向上する。その後、ユーザがメモリカードを装着すると（Ｓ７０５）メモリカード装着口照明部１１２は消灯する（Ｓ７０６）。一方メモリカードが装着されない場合（Ｓ７０５）、本印刷装置１００はデジタルカメラ接続検知部５０６によりデジタルカメラの接続有無を判定し（Ｓ７０７）、本印刷装置１００にデジタルカメラが接続された場合、メモリカード装着口照明部１１２を消灯する（Ｓ７０８）。
【００７５】
すなわち、本印刷装置１００のメモリカード装着口照明部１１２は、暗闇でメモリカードが装着されていない場合に、メモリカードの着脱操作性向上のため点灯し、ユーザがメモリカードを装着またはデジタルカメラを接続した場合には消灯するようになっている。
【００７６】
図８にデジタルカメラ接続口照明部の動作を示す。
【００７７】
本印刷装置１００の電源をＯＮした後（Ｓ８００）、図６に示すフローチャートにしたがって暗闇モードに設定されると（Ｓ８０１）、デジタルカメラ接続検知部５０６によりデジタルカメラの接続有無を判定する（Ｓ８０３）。デジタルカメラが接続されている場合には、デジタルカメラ接続口照明部１１１は点灯しない。Ｓ８０３でデジタルカメラが接続されていないと判定されると、デジタルカメラ接続口照明部１１１は点灯し（Ｓ８０４）、暗闇でデジタルカメラを接続する場合の操作性を向上する。その後、ユーザがデジタルカメラを接続するとデジタルカメラ接続口照明部１１１は消灯する（Ｓ８０６）。一方デジタルカメラが接続されない場合（Ｓ８０５）、本印刷装置１００はメモリカード装着検知部５１１によりメモリカードの装着有無を判定し（Ｓ８０７）、本印刷装置１００にメモリカードが装着された場合、デジタルカメラ接続口照明部１１１は消灯する（Ｓ８０８）。
【００７８】
すなわち、本印刷装置のデジタルカメラ接続口照明部１１１は、暗闇でデジタルカメラが接続されていない場合に、デジタルカメラの接続操作性を向上するために点灯し、ユーザがデジタルカメラを接続またはメモリカードを装着した場合には消灯するようになっている。
【００７９】
図９に印字部照明部５１６の動作を示す。
【００８０】
本印刷装置１００の電源をＯＮした後（Ｓ９００）、図６に示すフローチャートにしたがって暗闇モードに設定された後（Ｓ９０１）、本印刷装置１００は、ユーザが印字部カバー１０３を開くと、印字部カバー開閉検知部５０５により印字部カバー１０３の開閉を検知し（Ｓ９０３）、印字部照明部５１６が点灯する（Ｓ９０４）。その後ユーザが印字部カバー１０３を閉じるか（Ｓ９０５）、あらかじめ設定されている一定時間を経過すると（Ｓ９０７）、印字部照明部５１６は消灯する（Ｓ９０６）。
【００８１】
すなわち、本印刷装置１００は、暗闇で印刷中に紙詰まりを発生した場合、印字部を明るく照明し紙詰まり箇所を発見しやすくし、紙詰まりしたメディアを取り除くことを容易にする。
【００８２】
図１０に排紙トレイ照明部５１５の動作を示す。
【００８３】
本印刷装置１００は、図６に示すフローチャートにしたがって暗闇モードに設定された後（Ｓ１００１）印刷を開始した場合（Ｓ１００３）、印刷終了検知部５０３により印刷動作の終了を検知する（Ｓ１００４）。排紙トレイ照明部５１５は、印刷終了検知部５０３により印刷終了を検知すると（Ｓ１００４）、排紙トレイ１０４を明るく照明する（Ｓ１００５）。その後、排紙トレイ照明部５１５は、排紙トレイ積載検知部５０４によってユーザが排紙トレイ１０４からメディアを取り除いたことを検知すると（Ｓ１００６）消灯する（Ｓ１００７）。または、あらかじめ設定されている一定時間を経過すると（Ｓ１００８）排紙トレイ照明部５１５は消灯する（Ｓ１００７）。
【００８４】
すなわち、本印刷装置１００は、印刷終了後、排紙トレイ照明部５１５が点灯し、暗闇でも印刷の仕上がりを容易に確認できる。
【００８５】
図１１にメディアカートリッジ装着口照明部１１０の動作を示す。
【００８６】
本印刷装置１００の電源をＯＮした後（Ｓ１１００）、図６に示すフローチャートにしたがって暗闇モードに設定されると（Ｓ１１０１）、本印刷装置１００はメディアカートリッジ装着検知部５０７でメディアカートリッジ１０９の装着有無を検知する（Ｓ１１０３）。メディアカートリッジ１０９が装着済みの場合は、装着されたメディアカートリッジ１０９のメディアの残数をメディア残数検知部５０９により検出する（Ｓ１１０４）。一方、Ｓ１１０３でメディアカートリッジ１０９が未装着と検知すると、メディアカートリッジ装着口１１３を照明するようにメディアカートリッジ照明部１１０を点灯し（Ｓ１１０５）、さらに、本印刷装置１００の表示部１０２にて「メディアカートリッジを装着してください」という具合にユーザにメディアカートリッジ１０９の装着を促す警告を表示する（Ｓ１１０６）。その後、ユーザがメディアカートリッジ１０９を装着すると（Ｓ１１０７）メディアカートリッジ装着口照明部は消灯する（Ｓ１１０８）。または、あらかじめ設定されている一定時間を経過すると（Ｓ１１０９）、メディアカートリッジ装着口照明部１１３は消灯する（Ｓ１１１０）。
【００８７】
次に、メディアカートリッジ１０９を装着後、本印刷装置１００はメディアカートリッジ１０９内のメディアの残数をメディア残数検知部５０９により検知する（Ｓ１１０４）。本印刷装置１００は、装着されたメディアカートリッジ１０９のメディア残数がゼロの場合、メディアカートリッジ装着口照明部１１０を点灯し（Ｓ１１１１）、さらに本印刷装置１００の表示部１０２に「用紙がありません。カートリッジを交換してください」という具合にユーザにメディアカートリッジ１０９の交換を促す警告を表示する（Ｓ１１１２）。その後、ユーザがメディアカートリッジ１０９を交換し（Ｓ１１１３）、メディア残数が十分にある場合（Ｓ１１１４）、メディアカートリッジ装着口照明部１１０は消灯する（Ｓ１１１５）。またはあらかじめ設定されている一定時間を経過すると（Ｓ１１１６）、メディアカートリッジ装着口照明部１１０は消灯する（Ｓ１１１７）。
【００８８】
すなわち、本印刷装置１００は、暗闇でメディアカートリッジ１０９が装着されていない場合や、暗闇でメディアカートリッジ１０９内のメディアがなくなったためメディアカートリッジ１０９を交換する場合に、メディアカートリッジ１０９の装着、交換を容易にするために、メディアカートリッジ装着口照明部１１０が点灯するようになっている。
【００８９】
図１２にインクタンク装着口照明部１０５の動作を示す。
【００９０】
本印刷装置１００の電源をＯＮした後（Ｓ１２００）、図６に示すフローチャートにしたがって暗闇モードに設定されると（Ｓ１２０１）、本印刷装置１００はインクタンク装着検知部５０８でインクタンクの装着有無を検知する（Ｓ１２０３）。インクタンクが装着済みの場合は、装着されたインクタンクのインクの残量をインク残量検知部５１０によって検知する（Ｓ１２０４）。一方、Ｓ１２０３でインクタンクが未装着と判定されると、インクタンク装着口１０６を照明するようにインクタンク装着口照明部１０５が点灯し（Ｓ１２０５）、さらに、本印刷装置１００の表示部１０２にて「インクタンクを装着してください」という具合にユーザにインクタンクの装着を促す警告を表示する（Ｓ１２０６）。その後、ユーザがインクタンクを装着すると（Ｓ１２０７）インクタンク装着口照明部１０５は消灯する（Ｓ１２０８）。または、あらかじめ設定されている一定時間を経過すると（Ｓ１２０９）、インクタンク装着口照明部１０５は消灯する（Ｓ１２１０）。
【００９１】
インクタンクを装着後、本印刷装置１００はインクタンク内のインクの残量をインク残量検知部５１０により検知する（Ｓ１２０４）。本印刷装置１００は、装着されたインクタンクのインク残量がゼロの場合、インクタンク装着口照明部１０５を点灯し（Ｓ１２１１）、さらに本印刷装置１００の表示部１０２に「インクがありません。インクタンクを交換してください」という具合にユーザにインクタンクの交換を促す警告を表示する（Ｓ１２１２）。その後、ユーザがインクタンクを交換し（Ｓ１２１３）、インクの残量も十分にあると検出されると（Ｓ１２１４）インクタンク装着口照明部１０５は消灯する。またはあらかじめ設定されている一定時間を経過すると（Ｓ１２１６）、インクタンク装着口照明部１０５は消灯する（Ｓ１２１７）。
【００９２】
すなわち、本印刷装置１００は、暗闇でインクタンクが装着されていない場合や、暗闇でインクタンク内のインクがなくなったためインクタンクを交換する場合に、インクタンクの装着、交換を容易にするために、インクタンク装着口照明部１０５が点灯するようになっている。
【００９３】
上記実施形態では、本発明の一実施形態について説明したが、本発明は上記実施形態に限定されるものではなく、種々の変形実施形態が可能であることは言うまでもない。
【００９４】
尚、本発明は、複数の機器から構成されるシステムに適用しても、１つの機器からなる装置に適用してもよい。上述した実施形態の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、本発明が達成されることは言うまでもない。
【００９５】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【００９６】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も、本発明に含まれることは言うまでもない。
【００９７】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も、本発明に含まれることは言うまでもない。
【図面の簡単な説明】
【００９８】
【図１】本発明における印刷装置の概観図である。
【図２】本発明における印刷装置の全体の機能ブロック図である。
【図３】本発明における印刷装置のプログラム格納メモリのメモリマップである。
【図４】本発明における印刷装置の作業メモリのメモリマップである。
【図５】本発明における印刷装置の各種センサ部と照明制御部の機能ブロック図である。
【図６】本発明における印刷装置の暗闇モード設定フローチャートである。
【図７】本発明における印刷装置のメモリカード装着口照明部の動作を表すフローチャートである。
【図８】本発明における印刷装置のデジタルカメラ接続口照明部の動作を表すフローチャートである。
【図９】本発明における印刷装置の印字部照明部の動作を表すフローチャートである。
【図１０】本発明における印刷装置の排紙トレイ照明部の動作を表すフローチャートである。
【図１１】本発明における印刷装置のメディアカートリッジ装着口照明部の動作を表すフローチャートである。
【図１２】本発明における印刷装置のインクタンク装着口照明部の動作を表すフローチャートである。
【符号の説明】
【００９９】
１０６  インクタンク装着口
１０７  デジタルカメラ接続口
１０８  メモリカード接続口
１１３  メディアカートリッジ装着口
【図１】
2006116900.tif 000003
【図２】
2006116900.tif 000004
【図３】
2006116900.tif 000005
【図４】
2006116900.tif 000006
【図５】
2006116900.tif 000007
【図６】
2006116900.tif 000008
【図７】
2006116900.tif 000009
【図８】
2006116900.tif 000010
【図９】
2006116900.tif 000011
【図１０】
2006116900.tif 000012
【図１１】
2006116900.tif 000013
【図１２】
2006116900.tif 000014